(57)【特許請求の範囲】
【請求項１】
媒体表面の模様情報を読取る媒体模様情報読取手段と、
読取った前記模様情報に基づいて、模様情報画像を作成する模様情報画像作成手段と、
前記媒体表面に印刷する印刷画像に、前記模様情報画像を付加して前記媒体に印刷する印刷手段と、
前記印刷画像において、画像が印字されない領域または前記模様情報が読取可能な低濃度の画像が印字される領域により構成された模様情報読取領域を検出する模様情報読取領域検出手段と、
前記模様情報読取領域検出手段によって検出された前記模様情報読取領域の模様情報を読取る前記媒体模様情報読取手段と、
を備えたことを特徴とする画像形成システム。
【請求項２】
前記媒体における前記模様情報を読取った位置の情報である模様情報位置情報を含む前記模様情報に基づいて作成された前記模様情報画像、
を備えたことを特徴とする請求項１に記載の画像形成システム。
【請求項３】
前記模様情報画像を含む印刷画像の情報である印刷画像情報と、前記模様情報読取領域に関する模様情報読取領域情報と、を含む管理情報を受信する管理情報受信手段と、
受信した管理情報を記憶する管理情報記憶手段と、
原本であるか否かを照合する対象の媒体に印刷された前記模様情報画像を含む問合せ情報を受信する問合せ情報受信手段と、
前記問合せ情報と前記管理情報記憶手段に記憶された管理情報とを照合して媒体が原本であるか否かを判別する照合手段と、
を備えたことを特徴とする請求項１または２に記載の画像形成システム。
【請求項４】
前記媒体表面における複数の領域の模様情報を読取る前記媒体模様情報読取手段と、
前記媒体模様情報読取手段によって読み取った複数の領域の中から、前記模様情報読取領域検出手段によって検出した模様情報読取領域の位置が一致する領域の前記模様情報を使用して前記模様情報を作成する前記模様情報画像作成手段と、
を備えたことを特徴とする請求項１ないし３のいずれかに記載の画像形成システム。
【請求項５】
前記媒体表面の主走査方向の複数の領域の模様情報を読取可能な媒体模様情報読取装置と、
前記媒体模様情報読取装置に対して副走査方向に移動する前記媒体において、前記媒体表面に沿った平面上の任意の領域の前記模様情報を読取り可能な前記媒体模様情報読取手段と、
を備えたことを特徴とする請求項１ないし４のいずれかに記載の画像形成システム。
【請求項６】
前記媒体の主走査方向の所定の位置に配置された媒体模様情報読取装置と、
前記媒体模様情報読取装置に対して副走査方向に移動する前記媒体において、前記媒体表面の副走査方向に沿った複数の領域の前記模様情報を読取り可能な前記媒体模様情報読取手段と、
を備えたことを特徴とする請求項１ないし４のいずれかに記載の画像形成システム。
【請求項７】
前記媒体において、前記印刷画像が形成される画像形成領域の外側の縁領域の前記模様情報を読取る前記媒体模様情報読取手段、
を備えたことを特徴とする請求項１ないし６のいずれかに記載の画像形成システム。
【請求項８】
実行される後処理に関する後処理情報に基づいて、前記後処理が実行される領域を除外した領域の模様情報を読取る前記媒体模様情報読取手段、
を備えたことを特徴とする請求項１ないし７のいずれかに記載の画像形成システム。
【請求項９】
前記模様情報画像を、人間の視覚では視認困難または視認不能な色で印刷する前記印刷手段、
を備えたことを特徴とする請求項１ないし８のいずれかに記載の画像形成システム。
【請求項１０】
前記模様情報を読取った領域とは異なる位置に前記模様情報画像を印刷する前記印刷手段、
を備えたことを特徴とする請求項１ないし９のいずれかに記載の画像形成システム。
【請求項１１】
媒体表面に可視画像を形成する可視像形成装置と、
前記媒体の搬送路に配置された媒体模様情報読取装置により、媒体表面の模様情報を読取る媒体模様情報読取手段と、
読取った前記模様情報に基づいて、模様情報画像を作成する模様情報画像作成手段と、
前記可視像形成装置を制御して、前記媒体表面に印刷する印刷画像に、前記模様情報画像を付加して前記媒体に印刷する印刷手段と、
前記印刷画像において、画像が印字されない領域または前記模様情報が読取可能な低濃度の画像が印字される領域により構成された模様情報読取領域を検出する模様情報読取領域検出手段と、
前記模様情報読取領域検出手段によって検出された前記模様情報読取領域の模様情報を読取る前記媒体模様情報読取手段と、
を備えたことを特徴とする画像形成装置。
【請求項１２】
コンピュータを、
媒体表面の模様情報を読取る媒体模様情報読取手段、
読取った前記模様情報に基づいて、模様情報画像を作成する模様情報画像作成手段、
前記媒体表面に印刷する印刷画像に、前記模様情報画像を付加して前記媒体に印刷する印刷手段、
前記印刷画像において、画像が印字されない領域または前記模様情報が読取可能な低濃度の画像が印字される領域により構成された模様情報読取領域を検出する模様情報読取領域検出手段、
前記模様情報読取領域検出手段によって検出された前記模様情報読取領域の模様情報を読取る前記媒体模様情報読取手段、
として機能させるための画像形成プログラム。
【請求項１３】
媒体表面に印刷される印刷画像において画像が印字されない領域または前記模様情報が読取可能な低濃度の画像が印字される領域により構成された模様情報読取領域が検出され且つ読み取られた前記模様情報読取領域の模様情報であって、媒体表面の模様情報に基づいて作成され且つ媒体に印刷された模様情報画像を読取る模様情報画像読取手段と、
前記読取られた前記模様情報画像に基づいて、照合がされる媒体表面の前記模様情報読取領域の模様情報を読取る照合用模様情報読取手段と、
前記照合用媒体模様情報読取手段で読取られた模様情報と、予め登録された模様情報とを照合することで、模様情報画像が読取られた媒体の模様情報が登録された模様情報と一致するか否かの照合結果を表示する表示部と、
を備えたことを特徴とする模様情報照合装置。
【発明の詳細な説明】
【技術分野】
【０００１】
本発明は、画像形成システム、画像形成装置、画像形成プログラムおよび模様情報照合装置に関する。
【背景技術】
【０００２】
紙媒体の製造工程において紙が漉かれる際に発生する繊維の重なり具合により発生する媒体表面の模様情報、いわゆる、紙指紋を読取る技術として、特許文献１としての特開２００５−２８６５４号公報記載の技術が従来公知である。
特許文献１には、供給者から供給された用紙束（５０）を使用する場合、用紙束（５０）を用紙トレイ（１４）に装填し、用紙束（５０）の上に共に梱包されていた情報記録紙（５４）を装填して、情報記録用紙（５４）に記録されている識別コード（５２Ａ）及び特徴情報群（５２Ｂ）を読取って、表面の凹凸や繊維の太さ、繊維の質等を含む表面状態や厚さムラ状態に関する情報、すなわち、用紙の特徴に関する情報を取得する技術が記載されている。特許文献１記載の技術では、用紙の表面の凹凸等の情報は予め読取られた後、情報記録用紙（５４）に印刷されており、取得した用紙に関する情報に基づいて、該当する用紙束（５０）に対して最適なプリント条件を設定してプリント処理を実行している。
【０００３】
【特許文献１】特開２００５−２８６５４号公報（「００５６」〜「０１３１」）
【発明の開示】
【発明が解決しようとする課題】
【０００４】
本発明は、媒体表面の模様情報に基づいて、画像が印刷された媒体が原本であるかを確認可能にすることを技術的課題とする。
【課題を解決するための手段】
【０００５】
前記技術的課題を解決するために請求項１に記載の発明の画像形成システムは、
媒体表面の模様情報を読取る媒体模様情報読取手段と、
読取った前記模様情報に基づいて、模様情報画像を作成する模様情報画像作成手段と、
前記媒体表面に印刷する印刷画像に、前記模様情報画像を付加して前記媒体に印刷する印刷手段と、
前記印刷画像において、画像が印字されない領域または前記模様情報が読取可能な低濃度の画像が印字される領域により構成された模様情報読取領域を検出する模様情報読取領域検出手段と、
前記模様情報読取領域検出手段によって検出された前記模様情報読取領域の模様情報を読取る前記媒体模様情報読取手段と、
を備えたことを特徴とする。
【０００６】
請求項２に記載の発明は、請求項１に記載の画像形成システムにおいて、
前記媒体における前記模様情報を読取った位置の情報である模様情報位置情報を含む前記模様情報情報に基づいて作成された前記模様情報画像、
を備えたことを特徴とする。
【０００８】
請求項３に記載の発明は、請求項１または２に記載の画像形成システムにおいて、
前記模様情報画像を含む印刷画像の情報である印刷画像情報と、前記模様情報読取領域に関する模様情報読取領域情報と、を含む管理情報を受信する管理情報受信手段と、
受信した管理情報を記憶する管理情報記憶手段と、
原本であるか否かを照合する対象の媒体に印刷された前記模様情報画像を含む問合せ情報を受信する問合せ情報受信手段と、
前記問合せ情報と前記管理情報記憶手段に記憶された管理情報とを照合して媒体が原本であるか否かを判別する照合手段と、
を備えたことを特徴とする。
【０００９】
請求項４に記載の発明は、請求項１ないし３のいずれかに記載の画像形成システムにおいて、
前記媒体表面における複数の領域の模様情報を読取る前記媒体模様情報読取手段と、
前記媒体模様情報読取手段によって読み取った複数の領域の中から、前記模様情報読取領域検出手段によって検出した模様情報読取領域の位置が一致する領域における前記模様情報を使用して前記模様情報を作成する前記模様情報画像作成手段と、
を備えたことを特徴とする。
【００１０】
請求項５に記載の発明は、請求項１ないし４のいずれかに記載の画像形成システムにおいて、
前記媒体表面の主走査方向の複数の領域の模様情報を読取可能な媒体模様情報読取装置と、
前記媒体模様情報読取装置に対して副走査方向に移動する前記媒体において、前記媒体表面に沿った平面上の任意の領域の前記模様情報を読取り可能な前記媒体模様情報読取手段と、
を備えたことを特徴とする。
【００１１】
請求項６に記載の発明は、請求項１ないし４のいずれかに記載の画像形成システムにおいて、
前記媒体の主走査方向の所定の位置に配置された媒体模様情報読取装置と、
前記媒体模様情報読取装置に対して副走査方向に移動する前記媒体において、前記媒体表面の副走査方向に沿った複数の領域の前記模様情報を読取り可能な前記媒体模様情報読取手段と、
を備えたことを特徴とする。
【００１２】
請求項７に記載の発明は、請求項１ないし６のいずれかに記載の画像形成システムにおいて、
前記媒体において、前記印刷画像が形成される画像形成領域の外側の縁領域の前記模様情報を読取る前記媒体模様情報読取手段、
を備えたことを特徴とする。
【００１３】
請求項８に記載の発明は、請求項１ないし７のいずれかに記載の画像形成システムにおいて、
実行される後処理に関する後処理情報に基づいて、前記後処理が実行される領域を除外した領域の模様情報を読取る前記媒体模様情報読取手段、
を備えたことを特徴とする。
【００１４】
請求項９に記載の発明は、請求項１ないし８のいずれかに記載の画像形成システムにおいて、
前記模様情報画像を、人間の視覚では視認困難または視認不能な色で印刷する前記印刷手段、
を備えたことを特徴とする。
【００１５】
請求項１０に記載の発明は、請求項１ないし９のいずれかに記載の画像形成システムにおいて、
前記模様情報を読取った領域とは異なる位置に前記模様情報画像を印刷する前記印刷手段、
を備えたことを特徴とする。
【００１６】
前記技術的課題を解決するために請求項１１に記載の発明の画像形成装置は、
媒体表面に可視画像を形成する可視像形成装置と、
前記媒体の搬送路に配置された媒体模様情報読取装置により、媒体表面の模様情報を読取る媒体模様情報読取手段と、
読取った前記模様情報に基づいて、模様情報画像を作成する模様情報画像作成手段と、
前記可視像形成装置を制御して、前記媒体表面に印刷する印刷画像に、前記模様情報画像を付加して前記媒体に印刷する印刷手段と、
前記印刷画像において、画像が印字されない領域または前記模様情報が読取可能な低濃度の画像が印字される領域により構成された模様情報読取領域を検出する模様情報読取領域検出手段と、
前記模様情報読取領域検出手段によって検出された前記模様情報読取領域の模様情報を読取る前記媒体模様情報読取手段と、
を備えたことを特徴とする。
【００１７】
前記技術的課題を解決するために請求項１２に記載の発明の画像形成プログラムは、
コンピュータを、
媒体表面の模様情報を読取る媒体模様情報読取手段、
読取った前記模様情報に基づいて、模様情報画像を作成する模様情報画像作成手段、
前記媒体表面に印刷する印刷画像に、前記模様情報画像を付加して前記媒体に印刷する印刷手段、
前記印刷画像において、画像が印字されない領域または前記模様情報が読取可能な低濃度の画像が印字される領域により構成された模様情報読取領域を検出する模様情報読取領域検出手段、
前記模様情報読取領域検出手段によって検出された前記模様情報読取領域の模様情報を読取る前記媒体模様情報読取手段、
として機能させることを特徴とする。
【００１８】
前記技術的課題を解決するために請求項１３に記載の発明の模様情報照合装置は、
媒体表面に印刷される印刷画像において画像が印字されない領域または前記模様情報が読取可能な低濃度の画像が印字される領域により構成された模様情報読取領域が検出され且つ読み取られた前記模様情報読取領域の模様情報であって、媒体表面の模様情報に基づいて作成され且つ媒体に印刷された模様情報画像を読取る模様情報画像読取手段と、
前記読取られた前記模様情報画像に基づいて、照合がされる媒体表面の前記模様情報読取領域の模様情報を読取る照合用模様情報読取手段と、
前記照合用媒体模様情報読取手段で読取られた模様情報と、予め登録された模様情報とを照合することで、模様情報画像が読取られた媒体の模様情報が登録された模様情報と一致するか否かの照合結果を表示する表示部と、
を備えたことを特徴とする。
【発明の効果】
【００１９】
請求項１に記載の発明によれば、模様情報画像が印刷された媒体から、媒体毎に固有の媒体の模様情報を取得し、印字することで媒体毎に原本であるか否かを確認することができる。また、媒体の模様情報を読取った部分に画像が印字されて、印刷後に媒体の模様情報が読みとれなくなり、原本であるか否かの確認ができなくなることを防止できる。
請求項２に記載の発明によれば、模様情報位置情報に基づいて、模様情報を読取った領域を特定することができる。
【００２０】
請求項３に記載の発明によれば、管理情報により管理を行うことができる。
請求項４に記載の発明によれば、複数の模様情報を読取った領域から、印刷画像に応じて、画像が印字されない領域または前記模様情報が読取可能な低濃度の画像が印字される領域を選択することができる。
請求項５に記載の発明によれば、主走査方向及び副走査方向に複数箇所の領域で模様情報を読取り、印刷画像に応じて領域を選択することができる。
【００２１】
請求項６に記載の発明によれば、副走査方向に沿った複数の領域から、印刷画像に応じて領域を選択することができる。
請求項７に記載の発明によれば、画像が印刷されない縁領域の模様情報を読取ることができ、印刷後の原本確認時に模様情報を確実に読取ることができる。
請求項８に記載の発明によれば、模様情報の読取が困難になる可能性のある後処理がされる領域を除外でき、印刷後の原本確認時に確実に模様情報を読取ることができる。
【００２２】
請求項９に記載の発明によれば、利用者が模様情報を視認することが困難または不可能にすることができ、安全性、機密性を向上させることができる。
請求項１０に記載の発明によれば、模様情報画像により印刷後に模様情報を読取ることが困難になることを防止できる。
請求項１１に記載の発明によれば、媒体に印刷された模様情報画像に基づいて、模様情報画像が印刷された媒体から、媒体毎に固有の媒体模様情報を取得することができ、固有の媒体模様情報と登録されている模様情報とを照合して、原本であるか否かを確認することができる。また、媒体の模様情報を読取った部分に画像が印字されて、印刷後に媒体の模様情報が読みとれなくなり、原本であるか否かの確認ができなくなることを防止できる。
請求項１２に記載の発明によれば、媒体に印刷された模様情報画像に基づいて、模様情報画像が印刷された媒体から、媒体毎に固有の媒体模様情報を取得することができ、固有の媒体模様情報と登録されている模様情報とを照合して、原本であるか否かを確認することができる。また、媒体の模様情報を読取った部分に画像が印字されて、印刷後に媒体の模様情報が読みとれなくなり、原本であるか否かの確認ができなくなることを防止できる。
請求項１３に記載の発明によれば、読取られた情報と登録された模様情報とが照合されることで、模様情報が読取られた媒体が原本であるか否かを確認することができる。また、媒体の模様情報を読取った部分に画像が印字されて、印刷後に媒体の模様情報が読みとれなくなり、原本であるか否かの確認ができなくなることを防止できる。
【発明を実施するための最良の形態】
【００２３】
次に図面を参照しながら、本発明の実施の形態の具体例（実施例）を説明するが、本発明は以下の実施例に限定されるものではない。
なお、以後の説明の理解を容易にするために、図面において、前後方向をＸ軸方向、左右方向をＹ軸方向、上下方向をＺ軸方向とし、矢印Ｘ，−Ｘ，Ｙ，−Ｙ，Ｚ，−Ｚで示す方向または示す側をそれぞれ、前方、後方、右方、左方、上方、下方、または、前側、後側、右側、左側、上側、下側とする。
また、図中、「○」の中に「・」が記載されたものは紙面の裏から表に向かう矢印を意味し、「○」の中に「×」が記載されたものは紙面の表から裏に向かう矢印を意味するものとする。
なお、以下の図面を使用した説明において、理解の容易のために説明に必要な構成や部材以外の図示は適宜省略されている。
【実施例１】
【００２４】
図１は本発明の実施例１の画像形成システムの全体説明図である。
図１において、本発明の実施例１の画像形成システムＳ０は、情報通信回線網Ｎを有する。前記情報通信回線網Ｎには、利用者が印刷するための画像情報を送信する画像情報送信端末１や、情報通信回線網Ｎで送受信される情報の管理を行う管理装置２や、その他の端末４，５，６、前記各端末１，４，５，６から送信された画像情報に基づいて印刷を行う第１の画像形成装置Ｕ、各端末１，４，５，６から送信された画像情報に基づいて印刷を行うと共に媒体を読取り可能な模様情報照合装置の一例としての第２の画像形成装置Ｖが接続されており、相互に情報の送受信が可能である。
【００２５】
前記各端末１，４〜６や管理装置２は、情報処理装置の一例としてのコンピュータ装置により構成されており、装置本体Ｈ１と、表示器Ｈ２と、入力装置の一例としてのキーボードＨ３およびマウスＨ４、図示しない情報記憶装置の一例としてのハードディスクドライブ等により構成されている。前記端末等１，４〜６には、コンピュータ装置の基本動作を制御するプログラム、いわゆるソフトウェアが組み込まれている。前記ソフトウェアとしては、例えば、基本ソフトウェア、いわゆるオペレーティングシステムや、文書作成用のワープロソフトウェアや作図ソフトウェア、電子メール送受信用のソフトウェア等のアプリケーションプログラム、各画像形成装置Ｕ，Ｖを制御するためのソフトウェアの一例であるドライバ等が組み込まれている。
【００２６】
（第１の画像形成装置の説明）
図２は本発明の実施例１の画像形成装置の全体説明図である。
図２において、第１の画像形成装置Ｕは、いわゆる、大型のプリンタＵにより構成されており、プリンタＵを操作するための操作部Ｕ１、給紙装置Ｕ２、画像形成装置本体Ｕ３、およびシート処理装置Ｕ４を有している。
前記操作部Ｕ１は、情報を表示する表示部Ｕ１ａや画像形成装置の各種設定を行うための入力釦Ｕ１ｂを有する。
前記給紙装置Ｕ２は、複数の給紙容器ＴＲ１〜ＴＲ３や、前記各給紙容器ＴＲ１〜ＴＲ３に収容された媒体の一例としての記録紙Ｓを取り出して画像形成装置本体Ｕ３に搬送する給紙路ＳＨ1等を有している。
【００２７】
図２において、前記画像形成装置本体Ｕ３は、プリンタＵの制御を行う制御部Ｃや、情報通信回線網Ｎで接続された各端末１，４〜６から送信された画像情報を受信する図示しない情報送受信装置、および前記制御部Ｃにより制御される潜像形成装置駆動回路Ｄ電源回路Ｅ等を有している。制御部Ｃにより作動を制御される潜像形成装置駆動回路Ｄは、前記各端末１，４〜６から送信された画像情報に基づいて、黄色、マゼンタ、シアン、黒の各色の画像情報を作成し、それに応じた駆動信号を所定の時期に各色の可視像形成装置ＵＹ，ＵＭ，ＵＣ，ＵＫの潜像形成装置ＲＯＳy，ＲＯＳm，ＲＯＳc，ＲＯＳkに出力する。なお、前記各色の可視像形成装置ＵＹ，ＵＭ，ＵＣ，ＵＫは、画像形成装置本体Ｕ３の前方に引き出された引出位置と画像形成装置本体Ｕ３内部に装着された装着位置との間で移動可能に支持されている。
【００２８】
黒の可視像形成装置ＵＫにおいて、像保持体Ｐkの周囲には、帯電器ＣＣk、現像器Ｇk、像保持体清掃器ＣＬk等が配置されている。
そして、他の可視像形成装置ＵＹ，ＵＭ，ＵＣの前記像保持体Ｐy，Ｐm，Ｐcの周囲にもそれぞれ前記像保持体Ｐkの周囲と同様の帯電器ＣＣy，ＣＣm，ＣＣc、現像器Ｇy，Ｇm，Ｇc、像保持体清掃器ＣＬy，ＣＬm，ＣＬc等が配置されている。
図２において、像保持体Ｐy，Ｐm，Ｐc，Ｐkは、それぞれ帯電器ＣＣy，ＣＣm，ＣＣc，ＣＣkにより一様に帯電された後、前記潜像形成装置ＲＯＳy，ＲＯＳm，ＲＯＳc，ＲＯＳkの出力する潜像書込光Ｌy，Ｌm，Ｌc，Ｌkによりその表面に静電潜像が形成される。前記像保持体Ｐy，Ｐm，Ｐc，Ｐk表面の静電潜像は、現像器Ｇy，Ｇm，Ｇc，Ｇkにより黄色、マゼンタ、シアン、黒色の色の可視像、いわゆるトナー像に現像される。なお、現像により現像器Ｇｙ〜Ｇｋの現像器が消費されると、画像形成装置本体Ｕ３の上部に配置された現像剤補給装置Ｕ３ａから現像剤が補給される。前記現像剤補給装置Ｕ３ａには、図示しない現像剤補給容器、いわゆるトナーカートリッジが着脱、交換可能に支持されている。
【００２９】
像保持体Ｐy，Ｐm，Ｐc，Ｐk表面上の可視像は、一次転写器の一例としての１次転写部材Ｔ1y，Ｔ1m，Ｔ1c，Ｔ1kにより、中間転写体の一例としての中間転写ベルトＢ上に順次重ねて転写され、中間転写ベルトＢ上に多色画像が形成される。中間転写ベルトＢ上に形成された多色画像は、２次転写領域Ｑ４に搬送される。
なお、単色画像のみの場合は黒Ｋの像保持体Ｐkおよび現像器Ｇkのみが使用され、黒の可視像のみが形成される。
１次転写後、像保持体Ｐy，Ｐm，Ｐc，Ｐk表面の残留物は、像保持体清掃器ＣＬy，ＣＬm，ＣＬc，ＣＬkにより除去、清掃される。
【００３０】
前記中間転写ベルトＢは、中間転写体駆動部材Ｒd、張力発生部材Ｒt、蛇行防止部材Ｒw、複数の従動部材Ｒfおよび二次転写対向部材Ｔ2aと、前記１次転写部材Ｔ1y，Ｔ1m，Ｔ1c，Ｔ1kとにより矢印Ｙa方向に回転可能に支持されている。実施例１では、各部材Ｒd，Ｒt，Ｒw，Ｒf，Ｔ2a、Ｔ１ｙ〜Ｔ１ｋは、いわゆるロール状の部材により構成されている。
前記二次転写対向部材の一例としてのバックアップロールＴ2aの下方には２次転写ユニットＵtが配置されている。２次転写ユニットＵtの２次転写部材Ｔ２bは、前記中間転写ベルトＢを挟んでバックアップロールＴ2aに接触、離隔可能に配置されており、前記２次転写ロールＴ２bが中間転写ベルトＢと圧接する領域により２次転写領域Ｑ４が形成されている。また、実施例１では、前記バックアップロールＴ2aには接触導通部材Ｔ2cが当接しており、前記接触給電部材Ｔ2cには制御部Ｃにより制御される電源回路Ｅから所定の時期に現像剤の帯電極性と同極性の２次転写電圧が印加される。
前記二次転写対向部材Ｔ2a、二次転写部材Ｔ２ｂ、接触給電部材Ｔ2cにより、実施例１の２次転写器Ｔ2が構成されており、前記一次転写部材Ｔ１ｙ〜Ｔ１ｋ、中間転写ベルトＢ、二次転写器Ｔ２により実施例１の転写装置が構成されている。
【００３１】
前記中間転写ベルトＢの下方にはシート搬送路ＳＨ２が配置されている。前記給紙装置Ｕ２の給紙路ＳＨ1から給紙された記録紙Ｓは、前記搬送路ＳＨ２の給紙時期調整部材の一例としてのレジロールＲrに搬送される。前記搬送路ＳＨ２には、媒体模様情報読取装置ＳＮ１が配置されており、通過する記録紙Ｓの通過時に記録紙Ｓ表面の模様情報、いわゆる紙指紋が読取られる。なお、実施例１の媒体模様情報読取装置ＳＮ１は、通過する記録紙Ｓの最大用紙幅に対応して配置されており、最大用紙幅の全域の紙指紋を読取可能に構成されている。
レジロールＲｒに搬送された記録紙Ｓは、多色画像が２次転写領域Ｑ４に搬送されるのに時期を合わせて転写前上流側媒体案内部材ＳＧr、転写前下流側媒体案内部材ＳＧ1を通って２次転写領域Ｑ４に搬送される。
前記中間転写ベルトＢ上の多色画像は、前記２次転写領域Ｑ４を通過する際に前記２次転写器Ｔ2により前記記録紙Ｓに転写される。なお、多色画像の場合は中間転写ベルトＢ表面に重ねて１次転写されたトナー像が一括して記録紙Ｓに２次転写される。
【００３２】
２次転写後の前記中間転写ベルトＢは、中間転写体清掃器ＣＬBにより清掃される。なお、前記２次転写部材Ｔ２bおよび中間転写体清掃器ＣＬBは、中間転写ベルトＢと接触、離隔自在に配設されており、多色画像が形成される場合には最終色の未定着可視像が中間転写ベルトＢに１次転写されるまで、中間転写ベルトＢから離隔している。
【００３３】
未定着可視像が２次転写された前記記録紙Ｓは、転写後媒体案内部材ＳＧ２、媒体搬送部材ＢＨを通って定着装置Ｆに搬送される。定着装置Ｆは、加熱定着部材の一例としての加熱ロールＦｈと、加圧定着部材の一例としての加圧ロールＦｐとを有し、一対の定着部材Ｆｈ，Ｆｐが圧力が作用した状態で接触する定着領域Ｑ５に前記記録紙Ｓは搬送される。前記記録紙Ｓ上の未定着可視像は定着領域Ｑ５を通過する際に定着装置Ｆにより加熱定着される。前記定着装置Ｆの下流側には切替部材Ｇ１が設けられている。前記切替部材Ｇ１は搬送路ＳＨ２を搬送されて定着領域Ｑ５で加熱定着された記録紙Ｓを、排出路ＳＨ３または反転路ＳＨ４側のいずれかに選択的に切り替える。前記排出路ＳＨ３に搬送された記録紙Ｓは排出部材の一例としての排出ロールＲｈから後処理装置Ｕ４に排出される。
【００３４】
前記反転路ＳＨ４は循環路ＳＨ５が接続されており、その接続部には搬送方向規制部材Ｇ２が設けられている。前記搬送方向規制部材Ｇ２は反転路ＳＨ４に搬送されてきた記録紙Ｓをそのまま一旦通過させ、通過した記録紙Ｓを逆方向に搬送して循環路ＳＨ５側に搬送する。前記循環路ＳＨ５に搬送された記録紙Ｓは前記給紙路ＳＨ1を通って前記転写領域Ｑ４に再送される。
前記符号ＳＨ1〜ＳＨ５で示された要素により媒体搬送路ＳＨが構成されている。また、前記符号ＳＨ，Ｒａ，Ｒｒ，Ｒｈ，ＳＧ1，ＳＧ２，ＳＧｒ，ＢＨ、Ｇ１，Ｇ２で示された要素により媒体搬送装置ＳＵが構成されている。
【００３５】
（後処理装置Ｕ４）
図２において、後処理装置Ｕ４は画像形成装置本体Ｕ３と接続する面に、画像形成装置本体Ｕ３で画像記録が行われた記録紙Ｓを搬入する媒体搬入口Ｕ４ａが設けられている。この媒体搬入口Ｕ４ａから搬入された記録紙Ｓは、第１切替部材Ｕ４ｂの切替えにより、右上に延びる上端排出路ＳＨ６または下方に延びる第１後処理搬送路ＳＨ７のいずれかに搬送される。また、第１後処理搬送路ＳＨ７には第２後処理搬送路ＳＨ８が接続されており、その接続部に配置された第２切替部材Ｕ４ｃにより記録紙Ｓは第１後処理搬送路ＳＨ７または第２後処理搬送路ＳＨ８のいずれかに搬送される。
【００３６】
前記上端排出路ＳＨ６に搬送された記録紙Ｓはそのまま、後処理を行われることなく、上端排出部材４により上端排出口Ｐ０から排出される。
第１後処理搬送路ＳＨ７の下流側には、端綴じ装置ＨＴＳが配置されている。前記端綴じ装置ＨＴＳは、複数の記録紙Ｓを積載して揃え、記録紙束の端部に綴じ孔を形成したり、コの字形の針を記録紙束に打ち込んで綴じたり、あるいは、綴じずに揃えて排出する端綴じ処理を実行する。
第２後処理搬送路ＳＨ８の下流側には、中綴じ装置ＮＴＳが配置されている。前記中綴じ装置ＮＴＳは、複数の記録紙Ｓを積載して揃え、記録紙束の中央部をコの字形の針で綴じた後２つ折りにして排出したり、あるいは綴じずに二つ折りにして排出する中綴じ処理を実行する。
なお、前記端綴じ装置ＨＴＳや中綴じ装置ＮＴＳは、従来公知であり、例えば、特開２００３−０８９４６２号公報、特開２００３−０８９４６３号公報等に記載されているため、詳細な説明は省略する。
【００３７】
（第２の画像形成装置）
図１において、実施例１の第２の画像形成装置Ｖは、複写機Ｖにより構成されており、複写機Ｖは、上部の画像読取り装置の一例としてのスキャナ部Ｖ１と、下部の画像記録装置の一例としてのプリンタ部Ｖ２とを有する。前記プリンタ部Ｖ２は、媒体Ｓが収容された複数の給紙容器Ｖ２ａと、印刷された媒体Ｓが排出される排紙容器Ｖ２ｂとを有する。したがって、実施例１の複写機Ｖは、いわゆる、プリンタ、ＦＡＸ、ネットワークスキャナ、複写機の機能を併せ持つ複合機により構成されており、基本的な構成は、従来公知の電子写真方式の複合機（例えば、特開２００４−２８７２９７号公報等参照）と同様であり、種々の画像形成装置を採用可能である。
【００３８】
（実施例１の制御部の説明）
次に、実施例１の画像形成システムＳ０における各機能手段の説明を行うが、実施例１では各端末１，４〜６からは、印刷実行の入力に応じて、ドライバを介して画像情報が送信されるだけであり、従来公知であるため、詳細な説明は省略する。
【００３９】
（プリンタＵの制御部の説明）
図３は実施例１の画像形成システムにおける第１の画像形成装置の制御部の要部説明図である。
図４は実施例１の画像形成システムにおける第１の画像形成装置の制御部が備えている各機能を機能ブロック図で示した図である。
図３において、実施例１のプリンタＵの制御部Ｃは、いわゆる、マイクロコンピュータにより構成されており、外部との信号の入出力および入出力信号レベルの調節等を行うＩ／Ｏである入出力機器、必要な処理を行うためのプログラムおよび情報等が記憶された記憶装置ＲＯＭ，ＨＤＤや、必要なデータを一時的に記憶するための一次記憶装置ＲＡＭ、前記記憶装置ＲＯＭ，ＨＤＤ，ＲＡＭ等に記憶されたプログラムに応じた処理を行う中央演算処理装置ＣＰＵ、ならびに回路の同期を取るための周期的信号、いわゆるクロックを発振する図示しない発振器等を有する。
図３、図４において、前記構成のプリンタＵは、前記記憶装置の一例であるリードオンリーメモリーＲＯＭやハードディスクＨＤＤや一次記憶装置の一例であるランダムアクセスメモリーＲＡＭ等に記憶された画像形成プログラムを実行することにより種々の機能を実現することができる。
【００４０】
（前記制御部Ｃに接続された信号入力要素）
前記制御部Ｃには、操作部Ｕ１や媒体模様情報読取装置ＳＮ１、その他の信号出力要素等の出力信号が入力されている。
Ｕ１：操作部
図４において、前記操作部Ｕ１は、画像が表示される表示部Ｕ１ａや、各種入力を行うための入力釦Ｕ１ｂ等を備えている。なお、前記表示部Ｕ１ａとしては、例えば、液晶ディスプレイを使用可能であり、入力釦Ｕ１ｂとしては、いわゆるテンキーやコピースタートキー等を挙げることができる。
ＳＮ１：媒体模様情報読取装置
媒体模様情報読取装置ＳＮ１は、媒体模様情報読取装置ＳＮ１の位置を通過する記録紙Ｓの表面の模様情報、いわゆる紙指紋を読取る。
【００４１】
（制御部Ｃに接続された被制御要素）
制御部Ｃは、次の被制御要素の制御信号を出力している。
Ｄ１：主駆動源制御回路
主駆動源制御回路Ｄ１は、主駆動源の一例としてのメインモータＭ１を駆動することにより、像保持体Ｐｙ〜Ｐｋ、２次転写部材Ｔ２ｂ、定着装置Ｆおよび中間転写ベルトＢ等を回転駆動する。
Ｅ：電源回路
電源回路Ｅは、現像器Ｇｙ〜Ｇｋに現像電圧を印加する現像用電源回路Ｅ１と、帯電器ＣＣｙ〜ＣＣｋに帯電電圧を印加する帯電用電源回路Ｅ２と、一次転写部材Ｔ１ｙ〜Ｔ１ｋおよび二次転写部材Ｔ２ｂに転写電圧を印加する転写用電源回路Ｅ３および定着装置Ｆに加熱用の電源を供給する定着用電源回路Ｅ４を有している。
Ｄ：潜像形成装置駆動回路
潜像形成装置駆動回路Ｄは、潜像形成装置ＲＯＳｙ〜ＲＯＳｋを制御して、潜像を形成する。
【００４２】
（前記制御部Ｃの機能）
図４において、前記制御部Ｃは、前記各信号出力要素からの出力信号に応じた処理を実行して、前記各制御要素に制御信号を出力する機能を実現する機能実現手段、いわゆる、画像形成プログラムを構成するプログラムモジュールを有している。前記制御部Ｃの各種機能を実現する機能実現手段を次に説明する。
Ｃ１：主駆動源回転制御手段
主駆動源回転制御手段Ｃ１は、前記主駆動源制御回路Ｄ１を介してメインモータＭ１の動作を制御して、像保持体Ｐｙ〜Ｐｋ等の回転を制御する。
Ｃ２：電源回路制御手段
電源回路制御手段Ｃ２は、前記電源回路Ｅを制御して、前記現像電圧、帯電電圧、転写電圧、定着温度を制御する。
【００４３】
Ｃ３：画像情報受信手段
画像情報受信手段Ｃ３は、印刷設定情報受信手段Ｃ３Ａを有し、各端末１、４〜６から送信された印刷対象の画像情報を受信し、記憶する。
Ｃ３Ａ：印刷設定情報受信手段
印刷設定情報受信手段Ｃ３Ａは、各端末１、４〜６から送信された画像情報を印刷する際の印刷設定に関する情報を受信し、記憶する。実施例１では、印刷設定として、端綴じ装置ＨＴＳを使用して記録紙束の角を綴じる角綴じ設定や、記録紙束の端に沿って綴じる端綴じ設定や、綴じ孔を形成する綴じ孔形成設定、中綴じ装置ＮＴＳを使用して中綴じをして二つ折りをする中綴じ設定、等の後処理情報や、媒体Ｓの大きさや種類等の情報を含む。すなわち、前記後処理情報を含む印刷設定情報を受信し、記憶する。
Ｃ４：画像情報展開手段
画像情報展開手段Ｃ４は、受信した画像情報に基づいて、印刷用の情報である印刷画像情報に展開する。
【００４４】
図５は実施例１の印刷画像の一例の説明図であり、図５Ａは受信した印刷画像の説明図、図５Ｂは模様情報読取領域の説明図、図５Ｃは媒体模様情報特定情報が付加された印刷画像の説明図である。
Ｃ５：模様情報読取領域検出手段
模様情報読取領域検出手段Ｃ５は、読取可能領域検出手段Ｃ５Ａと、媒体模様情報読取領域設定手段Ｃ５Ｂとを有し、展開された印刷画像情報に基づいて、図５に例示する印刷対象の一頁分の印刷画像１１において、媒体の模様情報である紙指紋を読取る模様情報読取領域１３を検出する。
【００４５】
図６は実施例１の印刷設定がされた印刷画像の一例の説明図であり、図６Ａは綴じ孔形成設定がされた場合の説明図、図６Ｂは中綴じ設定がされた場合の説明図、図６Ｃは角綴じ設定がされた場合の説明図、図６Ｄは端綴じ設定がされた場合の説明図である。
Ｃ５Ａ：読取可能領域検出手段
図３、図５において、読取可能領域検出手段Ｃ５Ａは、展開された一頁分の印刷画像１１において、予め設定された広さ以上の画像領域１１ａ〜１１ｃ以外の領域、例えば、数ｍｍ角以上の広さの画像が印刷されない白画像１２の領域を、模様情報読取可能領域１２として検出する。なお、実施例１の読取可能領域検出手段Ｃ５Ａは、印刷設定情報に基づいて、処理が実行される領域に重複する前記模様情報読取可能領域１２は除外される。例えば、図６において、綴じ孔が形成される綴じ孔形成領域１６や、中綴じがされて二つ折りされる中綴じ領域１７、角綴じがされる角綴じ領域１８、端綴じがされる端綴じ領域１９については、印刷設定情報によりこれらのいずれかの後処理がされる場合には、該当する領域に白画像の領域が検出されても、印刷後に媒体模様情報が読取り不能になったり、折り曲げ等で模様情報が変化したりするため、読取可能領域１２からは除外して検出される。
【００４６】
Ｃ５Ｂ：媒体模様情報読取領域設定手段
媒体模様情報読取領域設定手段Ｃ５Ｂは、前記読取可能領域検出手段Ｃ５Ａで検出された読取可能領域１２に基づいて、実際に画像が印刷される記録紙Ｓにおいて、媒体模様情報を実際に読取る領域である媒体模様情報読取領域１３を設定する。実施例１の媒体模様情報読取領域設定手段Ｃ５Ｂは、読取可能領域検出手段Ｃ５Ａで読取可能領域１２が１つしか検出されなかった場合には、検出された領域の内部に模様情報読取領域１３を設定し、複数の読取可能領域１２が検出された場合には、いずれか一つの中に実際に模様情報を読取る模様情報読取領域１３を設定する。例えば、最も面積が狭い読取可能領域１２内に模様情報読取領域１３に設定したり、印刷領域１１の縁に近い領域１２に模様情報読取領域１３を設定可能である。
【００４７】
Ｃ６：媒体模様情報特定情報書込領域設定手段
媒体模様情報特定情報書込領域設定手段Ｃ６は、印刷画像１１において、模様情報読取領域１３の媒体模様情報を特定するための媒体模様情報特定情報を書き込む領域である媒体模様情報特定情報書込領域１４を設定する。実施例１の媒体模様情報特定情報書込領域設定手段Ｃ６は、前記媒体模様情報特定情報として、従来公知の二次元暗号化情報、例えば、ＱＲコード（登録商標）を使用可能であり、ＱＲコード（登録商標）により構成された模様情報画像の一例としての媒体模様情報特定情報画像１４ａを印刷可能な広さの領域を、媒体模様情報特定情報書込領域１４として設定する。なお、実施例１の媒体模様情報特定情報書込領域設定手段Ｃ６では、前記読取可能領域検出手段Ｃ５Ａで検出された白画像の読取可能領域１２の中から、媒体模様情報特定情報書込領域１４以上の広さの領域を、媒体模様情報特定情報書込領域１４に設定する。このとき、実施例１では、媒体模様情報特定情報書込領域１４は、前記模様情報読取領域１３とは重複しないように設定されており、同一の読取可能領域１２内部に、媒体模様情報特定情報書込領域１４と前記模様情報読取領域１３の両方が設定されても、ずれた位置に設定される。
【００４８】
Ｃ７：媒体模様情報読取手段
媒体模様情報読取手段Ｃ７は、媒体模様情報読取装置ＳＮ１により、媒体である記録紙Ｓの表面の模様情報を読み取る。実施例１の媒体模様情報読取手段Ｃ７は、媒体模様情報読取装置ＳＮ１を制御して、媒体模様情報読取装置ＳＮ１の位置を通過する記録紙Ｓに対して、設定された模様情報読取領域１３に対応する位置の媒体模様情報を読取る。実施例１の媒体模様情報読取手段Ｃ７は、繊維の重なり具合により発生する媒体表面の模様情報、いわゆる、紙指紋のような媒体表面の模様情報を読取る。
【００４９】
Ｃ８：模様情報画像作成手段
模様情報画像作成手段Ｃ８は、模様情報変換手段Ｃ８Ａを有し、印刷画像１１に付加される模様情報画像を作成する。実施例１の模様情報画像作成手段Ｃ８は、読取った媒体模様情報の画像情報と、模様情報位置情報の一例として図５Ｂに示すような模様情報読取領域１３の座標情報と、通し番号のような媒体Ｓの識別情報と、を含む媒体模様情報特定情報を、模様情報変換手段Ｃ８ＡによりＱＲコード（登録商標）に暗号化することで、ＱＲコード（登録商標）により構成された模様情報画像１４ａを作成する。なお、前記座標情報として、媒体Ｓの基準位置に対する主走査方向および副走査方向の位置を採用可能であり、位置としては、例えば、基準位置からの画素数や距離を採用することが可能である。なお、前記基準位置は、例えば、媒体Ｓの角としたり、有効画像形成領域の角や中央等、採用可能な任意の位置とすることができる。また、前記座標情報には、媒体である記録紙Ｓの向きや模様情報読取領域１３の大きさに関する情報を含めることも可能である。前記記録紙Ｓの向き、すなわち、紙指紋の検知方向としては、例えば、主走査方向または副走査方向を採用することが可能である。また、模様情報読取領域１３の大きさとして、例えば、模様情報読取領域１３の縦×横の画素数や長さを採用することが可能である。
【００５０】
Ｃ９：印刷手段
印刷手段Ｃ９は、全頁の印刷が完了したか否かを判別する印刷完了判別手段Ｃ９Ａを有し、前記主駆動源回転制御手段Ｃ１や電源回路制御手段Ｃ２を介して像保持体Ｐｙ〜Ｐｋ等の駆動や電圧の印加等を制御して、印刷を実行する。実施例１の印刷手段Ｃ９は、展開された印刷画像１１に、作成された模様情報画像１４ａが付加された模様情報付印刷画像を記録紙Ｓに印刷する。なお、実施例１の印刷手段Ｃ９は、前記模様情報画像１４ａを人間の視覚的に見えにくい黄色Ｙで印刷するように設定されているが、これに限定されず、任意の色で印刷することも可能であり、例えば、読取装置で読みとり可能且つ人間には不可視の透明トナー用の現像器を追加して透明トナーで印刷することも可能である。
Ｃ１０：管理情報送信手段
管理情報送信手段Ｃ１０は、媒体の模様情報及び媒体模様情報特定情報を含み、印刷が実行された模様情報付印刷画像の情報により構成された管理情報を、管理装置２に送信し、記録、登録させる。すなわち、管理装置２において、模様情報付印刷画像により構成された管理情報をデータベースに登録する。
【００５１】
（複写機Ｖの制御部の説明）
図７は実施例１の複写機の制御部が備えている各機能を機能ブロック図で示した図である。
図７において、実施例１の複写機Ｖの制御部Ｃｖは、プリンタＵの制御部Ｃと同様に、いわゆる、マイクロコンピュータにより構成されており、画像形成プログラムを実行することにより種々の機能を実現することができる。
【００５２】
（前記制御部Ｃｖに接続された信号入力要素）
前記制御部Ｃｖには、操作部Ｕｖやその他の信号出力要素等の出力信号が入力されている。
Ｕｖ：操作部
前記操作部Ｕｖは、画像が表示される表示部Ｕｖａや、各種入力を行うための入力釦Ｕｖｂ、媒体が原本であるか否かの照合を実行するための照合実行釦Ｕｖｃ等を備えている。なお、前記表示部Ｕ１ａとしては、例えば、液晶ディスプレイを使用可能であり、入力釦Ｕ１ｂとしては、いわゆるテンキーやコピースタートキー等を上げることができる。
【００５３】
（制御部Ｃに接続された被制御要素）
実施例１の複写機Ｖの制御部Ｃｖは、プリンタＵと同様の被制御要素の制御信号を出力している。
【００５４】
（前記制御部Ｃｖの機能）
図７において、前記制御部Ｃｖは、前記各信号出力要素からの出力信号に応じた処理を実行して、前記各制御要素に制御信号を出力する機能を実現する機能実現手段、いわゆる、画像形成プログラムを構成するプログラムモジュールを有している。前記制御部Ｃｖの各種機能を実現する機能実現手段を次に説明する。なお、実施例１の複写機Ｖの制御部Ｃｖでは、プリンタＵの制御部Ｃと同様の各制御手段Ｃ１〜Ｃ３を有し、説明の簡単のため、これらについての詳細な説明は省略する。
Ｃ１１：画像読取り制御手段
画像読取り制御手段Ｃ１１は、複写原稿画像読取り制御手段Ｃ１２と、媒体照合制御手段Ｃ１３とを有し、スキャナ部Ｖ１の動作を制御して、原稿等の媒体Ｓの読取を制御する。
【００５５】
Ｃ１２：複写原稿画像読取り制御手段
複写原稿画像読取り制御手段Ｃ１２は、入力釦Ｕｖｂから複写の入力がされた場合に、スキャナ部Ｖ１の動作を制御して、複写用の原稿媒体Ｓの読取を制御、実行する。
Ｃ１３：媒体照合制御手段
媒体照合制御手段Ｃ１３は、模様情報画像読取手段Ｃ１３ａと、媒体模様情報特定情報取得手段Ｃ１３ｂと、模様情報読取領域特定手段Ｃ１３ｃと、照合用模様情報読取手段Ｃ１３ｄと、問合せ情報送信手段Ｃ１３ｅと、問合せ結果受信手段Ｃ１３ｆと、照合結果表示制御手段Ｃ１３ｇとを有し、媒体Ｓが原本であるか否かの照合処理の制御を行う。実施例１の媒体照合制御手段Ｃ１３は、照合実行釦Ｕｖｃの入力がされた場合に、照合対象の媒体Ｓの画像を読取って、管理装置２に問合せ、照合結果を受信して、表示することで、一連の照合処理を行う。
【００５６】
Ｃ１３ａ：模様情報画像読取手段
模様情報画像読取手段Ｃ１３ａは、原本照合対象の媒体Ｓを読取ることにより、媒体Ｓに印刷されている模様情報画像１４ａを読取る。実施例１の模様情報画像読取り手段Ｃ１３ａは、媒体Ｓの読取り画像全体の中からＱＲコード（登録商標）の部分を抽出することで模様情報画像１４ａを読取る。
Ｃ１３ｂ：媒体模様情報特定情報取得手段
媒体模様情報特定情報取得手段Ｃ１３ｂは、模様情報画像読取り手段Ｃ１３ａで読取った模様情報画像１４ａに基づいて、媒体模様情報特定情報を取得する。実施例１の媒体模様情報特定情報取得手段Ｃ１３ｂでは、ＱＲコード（登録商標）を復号化することで、媒体模様情報の画像情報と、模様情報読取領域１３の座標情報と、媒体Ｓの識別情報と、を含む媒体模様情報特定情報を、取得する。
【００５７】
Ｃ１３ｃ：模様情報読取領域特定手段
模様情報読取領域特定手段Ｃ１３ｃは、取得した媒体模様情報特定情報に基づいて、模様情報読取領域１３を特定する。実施例１の模様情報読取領域特定手段Ｃ１３ｃは、取得した模様情報読取領域１３に含まれる模様情報読取領域１３の座標情報に基づいて、媒体Ｓ上で模様情報読取領域１３を特定する。
Ｃ１３ｄ：照合用模様情報読取手段
照合用模様情報読取手段Ｃ１３ｄは、取得した模様情報読取領域１３に基づいて、照合対象の媒体Ｓの模様情報読取領域１３の媒体模様情報を読取り、照合用模様情報として取得する。
【００５８】
Ｃ１３ｅ：問合せ情報送信手段
問合せ情報送信手段Ｃ１３ｅは、管理装置２に対して、照合対象の媒体Ｓが原本であるか否かの問合せを行う問合せ情報を送信する。実施例１の問合せ情報送信手段Ｃ１３ｅは、読取った照合用模様情報と、媒体模様情報特定情報に含まれる媒体Ｓの識別情報とを含む問合せ情報を作成し、送信する。
Ｃ１３ｆ：問合せ結果受信手段
問合せ結果受信手段Ｃ１３ｆは、問合せ情報送信手段Ｃ１３ｅで送信された問合せ情報に対して、管理装置２から送信された問合せ結果の情報を受信する。実施例１の問合せ結果の情報には、原本照合対象の媒体Ｓが原本であるか否かの照合結果が含まれる。
【００５９】
Ｃ１３ｇ：照合結果表示制御手段
照合結果表示制御手段Ｃ１３ｇは、前記操作部Ｕｖの表示部Ｕｖａを制御して、受信した照合結果を表示する。
Ｃ９′：印刷制御手段
印刷制御手段Ｃ９′は、受信した画像情報や、複写原稿の読取り画像情報に応じてプリンタ部Ｖ２を制御して、印刷動作の制御を行う。
【００６０】
（管理装置２の制御部の説明）
図８は実施例１の管理装置の制御部が備えている各機能を機能ブロック図で示した図である。
実施例１の管理装置２では、装置本体Ｈ１がコンピュータにより構成されており、装置本体Ｈ１の制御部は、前記プリンタＵの制御部Ｃと同様に、外部との信号の入出力および入出力信号レベルの調節等を行うＩ／Ｏである入出力機器、必要な処理を行うためのプログラムおよび情報等が記憶された記憶装置ＲＯＭ，ＨＤＤや、必要なデータを一時的に記憶するための一次記憶装置ＲＡＭ、前記記憶装置ＲＯＭ，ＨＤＤ，ＲＡＭ等に記憶されたプログラムに応じた処理を行う中央演算処理装置ＣＰＵ、ならびに回路の同期を取るための周期的信号、いわゆるクロックを発振する図示しない発振器等を有する。
【００６１】
実施例１の管理装置２では、装置本体Ｈ１に、前記オペレーティングシステム、アプリケーションソフトウェア、画像形成装置に画像情報や制御情報を送信するための画像形成装置制御プログラムＰＤ、いわゆるプリンタドライバ等に加え、模様情報登録プログラムＰ１および模様情報照合プログラムＰ２が記憶されている。なお、実施例１では、前記オペレーティングシステムや画像形成装置制御プログラムＰＤ等は、従来公知のプログラムが使用可能である。前記模様情報登録プログラムＰ１および模様情報照合プログラムＰ２は、下記の機能実現手段を有する。
【００６２】
（模様情報登録プログラムＰ１の機能）
図８において、前記模様情報登録プログラムＰ１は、下記の機能実現手段を有する。
Ｃ２１：管理情報受信手段
管理情報受信手段Ｃ２１は、前記管理情報送信手段Ｃ１０により送信された管理情報を受信する。実施例１の管理情報受信手段Ｃ２１は、前記媒体模様情報特定情報を含む管理情報を受信する。
Ｃ２２：管理情報記憶手段
管理情報記憶手段Ｃ２２は、管理情報を記憶する。実施例１の前記管理情報記憶手段Ｃ２２は、管理情報に含まれる媒体模様情報特定情報に基づいて、媒体模様情報の画像情報と、模様情報読取領域１３の座標情報と、通し番号のような媒体Ｓの識別情報とを対応づけて、いわゆるデータベース化して記憶する。
Ｃ２３：管理情報登録手段
管理情報登録手段Ｃ２３は、前記管理情報受信手段Ｃ２１で受信した管理情報を、前記管理情報記憶手段Ｃ２２に登録し、記憶させる。
【００６３】
（模様情報照合プログラムＰ２の機能）
図８において、前記模様情報照合プログラムＰ２は、下記の機能実現手段を有する。
Ｃ２４：問合せ情報受信手段
問合せ情報受信手段Ｃ２４は、複写機Ｖから送信された媒体Ｓが原本であるか否かの問合せの情報である問合せ情報を受信する。実施例１の問合せ情報受信手段Ｃ２４は、読取った照合用模様情報と媒体模様情報特定情報に含まれる媒体Ｓの識別情報とを含み、問合せ情報送信手段Ｃ１３ｅによって送信された問合せ情報を受信する。
Ｃ２５：照合手段
照合手段Ｃ２５は、模様情報一致判別手段Ｃ２５Ａを有し、受信した問合せ情報に基づいて、原本照合対象の媒体Ｓが原本であるか否かの照合を行う。実施例１の照合手段Ｃ２５は、問合せ情報と、管理情報記憶手段Ｃ２２に記憶された管理情報とを照合することにより、原本であるか否かの照合を行う。
【００６４】
Ｃ２５Ａ：模様情報一致判別手段
模様情報一致判別手段Ｃ２５Ａは、受信した問合せ情報に含まれる照合用模様情報が、管理情報記憶手段Ｃ２２に記憶された管理情報に含まれる媒体模様情報の画像情報と一致するか否かの判別を行う。実施例１の模様情報一致判別手段Ｃ２５Ａは、受信した問合せ情報に含まれる識別情報に基づいて、管理情報記憶手段Ｃ２２の管理情報から該当する媒体模様情報の画像情報を検索し、照合用模様情報と一致するか否かを、画像解析を行って判別することで、原本であるか否かを照合する。なお、前記画像解析は、指紋照合技術等の従来公知の技術を使用可能であるため、詳細な説明は省略する。
Ｃ２６：問合せ結果送信手段
問合せ結果送信手段Ｃ２６は、照合手段Ｃ２５による照合結果である問合せ結果の情報を、問合せ情報を送信した複写機Ｖに対して送信する。
【００６５】
（実施例１の流れ図の説明）
次に、実施例１の画像形成システムＳ０のプリンタＵの処理の流れを流れ図、いわゆるフローチャートを使用して説明する。なお、入力に応じて画像情報をプリンタＵに送信する端末１、４〜６における処理や、プリンタＵから送信された模様情報付印刷画像の情報をデータベースに登録する管理装置２における処理については、従来公知であるため、簡単のため、図示及び詳細な説明を省略する。
【００６６】
（プリンタＵのフローチャートの説明）
（画像形成処理のフローチャートの説明）
図９は実施例１の画像形成装置での画像形成処理のフローチャートである。
図９のフローチャートの各ＳＴ（ステップ）の処理は、プリンタＵのハードディスク等に記憶された画像形成プログラムに従って行われる。また、この処理はプリンタＵの他の各種処理と並行して並列処理で実行される。
図９に示すフローチャートはプリンタＵの電源が投入された時に開始される。
【００６７】
図９のＳＴ１において、端末１、４〜６や管理装置２から送信された印刷用の画像情報を受信したか否かを判別する。イエス（Ｙ）の場合はＳＴ２に進み、ノー（Ｎ）の場合はＳＴ１を繰り返す。
ＳＴ２において、受信した画像情報を展開して、媒体模様情報読取領域１３以上の広さの白画像領域である読取可能領域１２を検出する。そして、ＳＴ３に進む。
ＳＴ３において、印刷設定情報と、検出された読取可能領域１２の情報とに基づいて、媒体模様情報読取領域１３および媒体模様情報特定情報書込領域１４とを設定する。そして、ＳＴ４に進む。
ＳＴ４において、給紙された媒体Ｓに対して、設定された媒体読取領域１３の媒体模様情報、すなわち、紙指紋を読取る。そして、ＳＴ５に進む。
【００６８】
ＳＴ５において、読取った媒体の模様情報を媒体模様情報特定情報に変換して、媒体模様情報特定情報画像１４ａを作成する。そして、ＳＴ６に進む。
ＳＴ６において、印刷画像１１の媒体模様情報特定情報書込領域１４に、媒体模様情報特定情報の画像１４ａを付加し、媒体特定情報付印刷画像を作成する。そして、ＳＴ７に進む。
ＳＴ７において、次の処理（１）、（２）を実行してＳＴ８に進む。
（１）媒体模様情報特定情報付印刷画像の印刷を行う。
（２）媒体模様情報特定情報付印刷画像により構成された管理情報を管理装置２に送信して、データベースに登録する。
ＳＴ８において、受信した画像情報の全頁の印刷を終了したか否かを判別する。ノー（Ｎ）の場合はＳＴ２に戻り、イエス（Ｙ）の場合はＳＴ１に戻る。
【００６９】
（管理装置２のフローチャートの説明）
（模様情報登録照合処理の説明）
図１０は実施例１の管理装置の模様情報登録照合処理のフローチャートである。
図１０のフローチャートの各ＳＴ（ステップ）の処理は、管理装置２のハードディスク等に記憶された模様情報登録プログラムＰ１および模様情報照合プログラムＰ２に従って行われる。また、この処理は管理装置２の他の各種処理と並行して並列処理で実行される。
図１０に示すフローチャートは管理装置２の電源が投入されて起動した時に開始される。
【００７０】
図１０のＳＴ１１において、プリンタＵから送信された媒体模様情報特定情報付き印刷画像を含む管理情報を受信したか否かを判別する。イエス（Ｙ）の場合はＳＴ１２に進み、ノー（Ｎ）の場合はＳＴ１３に進む。
ＳＴ１２において、媒体模様情報特定情報付印刷画像に含まれる媒体模様情報特定情報に基づいて、媒体Ｓの識別情報と、媒体模様情報の画像情報と、模様情報読取領域１３の座標情報と、をデータベースに登録する。そして、ＳＴ１１に戻る。
ＳＴ１３において、複写機Ｖから送信された問合せ情報を受信したか否かを判別する。イエス（Ｙ）の場合はＳＴ１４に進み、ノー（Ｎ）の場合はＳＴ１１に戻る。
ＳＴ１４において、問合せ情報に含まれる照合用模様情報と、問合せのあった媒体Ｓの識別情報に対応する管理情報の媒体模様情報の画像情報とを照合することにより、問合せのされた媒体Ｓが原本であるか否かを判別する。そして、ＳＴ１５に進む。
ＳＴ１５において、照合結果を複写機Ｖに送信し、ＳＴ１１に戻る。
【００７１】
（複写機Ｖのフローチャートの説明）
（模様情報読取り問合せ処理の説明）
図１１は実施例１の複写機Ｖの模様情報読取問合せ処理のフローチャートである。
図１１のフローチャートの各ＳＴ（ステップ）の処理は、複写機ＶのＲＯＭやハードディスク等に記憶された各機能手段に従って行われる。また、この処理は複写機Ｖの他の各種処理と並行して並列処理で実行される。
図１１に示すフローチャートは複写機Ｖの電源が投入された時に開始される。
【００７２】
図１１のＳＴ２１において、照合実行釦Ｕｖｃの入力がされたか否かを判別する。イエス（Ｙ）の場合はＳＴ２２に進み、ノー（Ｎ）の場合はＳＴ２１を繰り返す。
ＳＴ２２において、複写機Ｖのスキャナ部Ｖ１で媒体Ｓを読取り、媒体Ｓに印刷されている媒体模様情報特定情報付印刷画像を読取る。そして、ＳＴ２３に進む。
ＳＴ２３において、次の処理（１）、（２）を実行する。そして、ＳＴ２４に進む。
（１）読取った媒体模様情報特定情報付印刷画像に含まれる媒体模様情報特定情報に基づいて、模様情報特定領域１３を特定する。
（２）特定された模様情報読取領域の媒体模様情報の画像情報を、照合用模様情報として読取る。
【００７３】
ＳＴ２４において、読取った照合用模様情報と、媒体模様情報特定情報に含まれる媒体Ｓの識別情報とを含む問合せ情報を管理装置２に送信する。そして、ＳＴ２５に進む。
ＳＴ２５において、問合せ情報に対応して、管理装置２から送信された照合結果情報を受信したか否かを判別する。イエス（Ｙ）の場合はＳＴ２６に進み、ノー（Ｎ）の場合はＳＴ２５を繰り返す。
ＳＴ２６において、受信した照合結果を表示部Ｕｖａに表示する。そして、ＳＴ２１に戻る。
【００７４】
（実施例１の作用）
前記構成を備えた実施例１の画像形成システムＳ０では、画像情報を受信すると、画像情報を印刷画像に展開し、展開された印刷画像から、媒体模様情報、すなわち、紙指紋を読取る領域１３が設定される。このとき、印刷設定情報に基づいて、白画像の領域を読取るため、紙指紋を読取った領域１３には、印刷時に画像が形成されず、印刷後の媒体Ｓにおいて、紙指紋が確実に読取可能な状態となる。また、実施例１の画像形成システムＳ０では、読取られた紙指紋の情報および紙指紋を読取った位置の情報は、媒体模様情報特定情報として媒体Ｓに印刷される。
【００７５】
また、実施例１の画像形成システムＳでは、媒体模様情報特定情報が印刷された媒体Ｓを複写機Ｖで読取ることで、媒体模様情報特定情報が読取られ、読取られた媒体模様情報特定情報に基づいて、模様情報読取領域１３の紙指紋が読取られ、照合が行われる。前記紙指紋は、媒体Ｓ毎にほぼ固有の情報であり、複製が現実には不可能である。仮に、紙指紋が読取られて媒体模様情報特定情報画像１４ａが書き込まれた媒体Ｓの印刷画像１１が複写された場合、複写された媒体Ｓの媒体模様情報特定情報画像１４ａを読取り、媒体模様情報読取り領域１３の紙指紋と照合すると、媒体模様情報特定情報画像１４ａで特定される紙指紋と一致しないため、複写された媒体Ｓであることが判別され、原本でないことが判別される。一方、原本である場合には、媒体模様情報読取り領域１３の紙指紋と、媒体模様情報特定情報画像１４ａで特定される紙指紋とが一致するため、原本であることが判別される。したがって、実施例１の画像形成システムＳでは、読取られた媒体模様情報特定情報により特定される模様情報読取領域１３の紙指紋と、管理情報記憶手段Ｃ２２に登録されている紙指紋とを照合することで、照合対象の媒体Ｓが原本であるか否かが判別される。
【００７６】
また、実施例１の画像形成システムＳ０では、人間の視覚的に見えにくい色である黄色で媒体模様情報特定情報画像１４ａが印刷されるため、人間が注意深く観察しなければ、媒体模様情報特定情報画像１４ａが形成されていること自体が認識され難い。
さらに、実施例１の画像形成システムＳ０では、媒体模様情報特定情報画像１４ａが暗号化されているため、復号化せずに媒体模様情報読取り領域１３を認識することが困難であり、例えば、原本の媒体模様情報読取り領域１３を切り取って、複写したものに貼り付けるといった不正が実行されにくくなっている。
【実施例２】
【００７７】
次に本発明の実施例２の説明を行うが、この実施例２の説明において、前記実施例１の構成要素に対応する構成要素には同一の符号を付して、その詳細な説明を省略する。この実施例２は、下記の点で前記実施例１と相違しているが、他の点では前記実施例１と同様に構成されている。
【００７８】
（実施例２の制御部の説明）
（端末の制御部の説明）
図１２は本発明の実施例２の端末の制御部の説明図である。
実施例２の端末１、４〜６では、装置本体Ｈ１に、前記オペレーティングシステム、アプリケーションソフトウェアに加え、画像形成装置に画像情報や制御情報を送信するための画像形成装置制御プログラムＰＤ、いわゆるプリンタドライバが記憶されている。前記画像形成装置制御プログラムＰＤは、下記の機能実現手段を有する。
【００７９】
Ｃ３１：画像情報記憶手段
画像情報記憶手段Ｃ３１は、オペレーティングシステムやアプリケーションソフトウェアから印刷する指示がされた画像情報を記憶する。
Ｃ３２：印刷設定情報記憶手段
印刷設定情報記憶手段Ｃ３２は、端末１、４〜６の利用者により、中綴じや端綴じ等の後処理や印刷される媒体Ｓの大きさ等の印刷設定がされた場合に、設定された印刷設定の情報を記憶する。
【００８０】
Ｃ３３：画像情報展開手段
画像情報展開手段Ｃ３３は、印刷の指示がされて画像情報記憶手段Ｃ３１に記憶された画像情報を一頁毎の画像情報に展開する。
Ｃ３４：読取可能領域検出手段
読取可能領域検出手段Ｃ３４は、実施例１の読取可能領域検出手段Ｃ５Ａと同様に、画像情報展開手段Ｃ３３で展開された画像情報に基づいて、各頁毎に、予め設定された広さ以上の領域を模様情報読取可能領域１２として検出する。
Ｃ３５：画像情報送信手段
画像情報送信手段Ｃ３５は、印刷の指示がされた画像情報と、印刷設定情報に加え、読取可能領域１２に関する情報である読取可能領域情報を含む送信情報を、プリンタＵに送信する。
【００８１】
（画像形成装置の制御部Ｃの説明）
図１３は本発明の実施例２の画像形成装置の制御部の説明図であり、実施例１の図３に対応する図である。
図１３において、実施例２のプリンタＵでは、実施例１の読取可能領域検出手段Ｃ５Ａが省略された模様情報読取領域検出手段Ｃ５′と、実施例１の媒体模様情報特定情報書込領域設定手段Ｃ６とは異なる媒体模様情報特定情報書込領域設定手段Ｃ６′とを有し、その他は実施例１と同様に構成されている。
Ｃ５′：模様情報読取領域検出手段
模様情報読取領域検出手段Ｃ５′は、媒体模様情報読取領域設定手段Ｃ５Ｂを有し、画像情報展開手段Ｃ４により展開された印刷画像情報と、受信した読取可能領域情報とに基づいて、印刷対象の一頁分の印刷画像１１において、媒体表面の模様情報である紙指紋を読取る模様情報読取領域１３を検出、設定する。
【００８２】
Ｃ５Ｂ′：媒体模様情報読取領域設定手段
媒体模様情報読取領域設定手段Ｃ５Ｂ′は、実施例１とは異なり、受信した読取可能領域情報により特定される読取可能領域１２に基づいて、実際に画像が印刷される記録紙Ｓにおいて、媒体模様情報を実際に読取る領域である媒体模様情報読取領域１３を設定する。なお、媒体模様情報読取領域１３の設定手法に関しては、実施例１と同様に設定される。
Ｃ６′：媒体模様情報特定情報書込領域設定手段
媒体模様情報特定情報書込領域設定手段Ｃ６′は、実施例１の場合と異なり、受信した読取可能領域情報により特定される読取可能領域１２に基づいて媒体模様情報特定情報書込領域１４が設定され、その他は、実施例１と同様にして設定される。
【００８３】
（実施例２の流れ図の説明）
次に、実施例２の画像形成システムＳ０のプリンタＵの処理の流れを流れ図、いわゆるフローチャートを使用して説明する。なお、実施例２のフローチャートの説明において、実施例１と同様の処理については、同一のＳＴ番号を付し、詳細な説明は省略する。
（端末のフローチャートの説明）
図１４は実施例２の端末における画像情報送信処理のフローチャートである。
図１４のフローチャートの各ＳＴ（ステップ）の処理は、端末１、４〜６の装置本体Ｈ１に内蔵されたハードディスク等に記憶された画像形成装置制御プログラムＰＤに従って行われる。また、この処理は端末１、４〜６の他の各種処理と並行して並列処理で実行される。
図１４に示すフローチャートは、アプリケーションプログラム等で印刷の指示が行われて、画像形成装置制御プログラムＰＤが読み込まれた時に開始される。
【００８４】
図１４のＳＴ４１において、印刷指示のされた画像情報を展開する。そして、ＳＴ４２に進む。
ＳＴ４２において、展開された画像情報から読取可能領域１２、実施例２では、白画像領域を検出する。そして、ＳＴ４３に進む。
ＳＴ４３において、画像情報および印刷設定情報に、読取可能領域情報を付加した送信情報をプリンタＵに送信する。そして、画像情報送信処理を終了する。
【００８５】
（プリンタＵのフローチャートの説明）
（画像形成処理のフローチャートの説明）
図１５は実施例２の画像形成装置での画像形成処理のフローチャートであり、実施例１の図９に対応するフローチャートである。
図１５のフローチャートの各ＳＴ（ステップ）の処理は、プリンタＵのハードディスク等に記憶された画像形成プログラムに従って行われる。また、この処理はプリンタＵの他の各種処理と並行して並列処理で実行される。
図１５において、実施例２の画像形成処理では、図９に示す実施例１のＳＴ２、ＳＴ３に替えて、以下のＳＴ３′が実行されるだけで、ＳＴ１、ＳＴ４〜ＳＴ８は同様の処理が実行されるため、ＳＴ１、ＳＴ４〜ＳＴ８に関する詳細な説明は省略する。
図１５のＳＴ３′において、受信した画像情報を展開し、受信した印刷設定画像と読取可能領域情報とに基づいて、媒体模様情報読取領域１３および媒体模様情報特定情報書込領域１４とを設定する。そして、ＳＴ４に進む。
【００８６】
（実施例２の作用）
前記構成を備えた実施例２のプリンタＵでは、媒体模様情報を読取るための媒体模様情報読取領域１３や、媒体模様情報特定情報画像１４ａを書き込む媒体模様情報特定情報書込領域１４が設定される読取可能領域１２を検出する処理が、実施例１のようにプリンタＵではなく、端末１、４〜６で実行される。そして、プリンタＵでは、端末１、４〜６から送信された読取可能領域情報に基づいて、読取可能領域１２が検出され、媒体模様情報読取領域１３や媒体模様情報特定情報書込領域１４が設定され、プリンタＵにおける処理の負荷が低減される。
【実施例３】
【００８７】
次に本発明の実施例３の説明を行うが、この実施例３の説明において、前記実施例１の構成要素に対応する構成要素には同一の符号を付して、その詳細な説明を省略する。この実施例３は、下記の点で前記実施例１と相違しているが、他の点では前記実施例１と同様に構成されている。
【００８８】
（実施例３の制御部の説明）
（画像形成装置の制御部Ｃの説明）
図１６は本発明の実施例３の画像形成装置の制御部の説明図であり、実施例１の図３に対応する図である。
図１６において、実施例３のプリンタＵでは、実施例１の模様情報読取領域検出手段Ｃ５および媒体模様情報読取手段Ｃ７とは異なる模様情報読取領域検出手段Ｃ５″および媒体模様情報読取手段Ｃ７″を有し、その他は実施例１と同様に構成されている。
【００８９】
図１７は実施例３の印刷画像の一例の説明図であり、図１７Ａは媒体模様情報読取領域の説明図、図１７Ｂは印刷画像の説明図、図１７Ｃは媒体模様情報特定情報付印刷画像の説明図である。
Ｃ７″：媒体模様情報読取手段
媒体模様情報読取手段Ｃ７″は、媒体模様情報読取装置ＳＮ１により、媒体である記録紙Ｓの表面の模様情報を読みと取る。図１７において、実施例３の媒体模様情報読取手段Ｃ７″は、媒体模様情報読取装置ＳＮ１を制御して、媒体模様情報読取装置ＳＮ１の位置を通過する記録紙Ｓに対して、主走査方向すなわち媒体幅方向に対して予め設定された所定の間隔をあけ且つ、副走査方向すなわち媒体搬送方向にも所定の間隔をあけて設定された模様情報読取領域１３ａの媒体模様情報を読取る。
【００９０】
Ｃ５″：模様情報読取領域検出手段
模様情報読取領域検出手段Ｃ５″は、読取可能領域検出手段Ｃ５Ａ″と、媒体模様情報読取領域設定手段Ｃ５Ｂ″とを有し、印刷対象の一頁分の印刷画像１１において、読取られた媒体模様情報を使用する模様情報読取領域１３を検出、設定する。
【００９１】
Ｃ５Ａ″：読取可能領域検出手段
読取可能領域検出手段Ｃ５Ａ″は、展開された一頁分の印刷画像１１において、媒体模様情報特定情報書込領域１４の広さ以上の読取可能領域１２を検出する。
Ｃ５Ｂ″：媒体模様情報読取領域設定手段
媒体模様情報読取領域設定手段Ｃ５Ｂ″は、印刷画像１１に対して、媒体模様情報読取領域１３の設定を行う。実施例３の媒体模様情報読取領域設定手段Ｃ５Ｂ″は、媒体模様情報が読取られた複数の模様情報読取領域１３ａの中で、画像領域１１ａ〜１１ｃと重複しない模様情報読取領域１３ａを検出し、複数ある場合にはそのいずれかを、実際に使用する媒体模様情報読取領域１３として設定する。
【００９２】
（実施例３の流れ図の説明）
次に、実施例３の画像形成システムＳ０のプリンタＵの処理の流れを流れ図、いわゆるフローチャートを使用して説明する。なお、実施例３のフローチャートの説明において、実施例１と同様の処理については、同一のＳＴ番号を付し、詳細な説明は省略する。
【００９３】
（プリンタＵのフローチャートの説明）
（画像形成処理のフローチャートの説明）
図１８は実施例３の画像形成装置での画像形成処理のフローチャートであり、実施例１の図９に対応するフローチャートである。
図１８のフローチャートの各ＳＴ（ステップ）の処理は、プリンタＵのハードディスク等に記憶された画像形成プログラムに従って行われる。また、この処理はプリンタＵの他の各種処理と並行して並列処理で実行される。
図１８において、実施例３の画像形成処理では、図９に示す実施例１のＳＴ２〜ＳＴ４に替えて、以下のＳＴ４″、ＳＴ３″が実行されるだけで、ＳＴ１、ＳＴ５〜ＳＴ８は同様の処理が実行されるため、ＳＴ１、ＳＴ５〜ＳＴ８に関する詳細な説明は省略する。
【００９４】
図１８のＳＴ４″において、給紙された媒体である記録紙Ｓに対して、媒体模様情報読取領域１３ａの媒体模様情報を読取る。そして、ＳＴ３″に進む。
ＳＴ３″において、次の処理（１）、（２）を実行し、ＳＴ５に進む。
（１）画像情報を展開して、画像領域１１ａ〜１１ｃと重複しない模様情報読取領域１３ａを検出し、使用する模様情報読取領域１３の設定を行う。
（２）媒体模様情報特定情報書込領域１４以上の広さの読取可能領域１２を検出して、媒体模様情報特定情報書込領域１４の設定を行う。
【００９５】
（実施例３の作用）
前記構成を備えた実施例３のプリンタＵでは、模様情報読取領域１３は、予め設定されて媒体模様情報が読取られた模様情報読取領域１３ａの中から、印刷画像に応じて選択されて、設定される。すなわち、画像を展開して読取可能領域１２を検出し、媒体模様情報読取領域１３を設定する前に、記録紙Ｓの給紙が実行可能となり、媒体の模様情報が読取可能となる。
【実施例４】
【００９６】
次に本発明の実施例４の説明を行うが、この実施例４の説明において、前記実施例１、３の構成要素に対応する構成要素には同一の符号を付して、その詳細な説明を省略する。この実施例４は、下記の点で前記実施例１、３と相違しているが、他の点では前記実施例１、３と同様に構成されている。
【００９７】
図１９は実施例４の印刷画像の一例の説明図であり、図１９Ａは媒体模様情報読取領域の説明図、図１９Ｂは印刷画像の説明図、図１９Ｃは媒体模様情報特定情報付印刷画像の説明図である。
図１９において、実施例４の媒体模様情報読取装置ＳＮ１′は、実施例１〜３の場合と異なり、媒体幅方向全域で媒体模様情報を読取る構成となっておらず、媒体幅方向端部に配置され、媒体幅方向端部の媒体模様情報を読取可能に構成されている。実施例４の画像形成システムＳ０では、実施例３の場合と同様に、媒体搬送方向に沿って、所定の間隔をあけて媒体模様情報読取領域１３ａの媒体模様情報を読取り、画像領域１１ｃと重複しない模様情報読取領域１３ａを使用する模様情報読取領域１３に設定する。
【００９８】
（実施例４の作用）
前記構成を備えた実施例４の画像形成システムＳ０では、媒体幅方向端部に配置された媒体模様情報読取装置ＳＮ１′により、媒体模様情報を読取り、印刷画像１１の画像領域１１ａ〜１１ｃに応じて、重複しない模様情報読取領域１３が選択、設定され、選択された領域１３の媒体模様情報が使用される。
【００９９】
（変更例）
以上、本発明の実施例を詳述したが、本発明は、前記実施例に限定されるものではなく、特許請求の範囲に記載された本発明の要旨の範囲内で、種々の変更を行うことが可能である。本発明の変更例を下記に例示する。
（Ｈ01）前記実施例において、情報通信回線網Ｎの構成は、構内回線、いわゆるローカルエリアネットワークを例示したが、これに限定されず、公衆通信回線、いわゆる、インターネットを使用して接続したり、専用線を使用して接続したり等の任意の構成の回線網とすることが可能である。
【０１００】
（Ｈ02）前記実施例において、媒体模様情報特定情報には、媒体模様情報の画像情報を含めたが、画像情報は管理装置にのみ保存しておき、媒体の識別情報と模様情報読取領域１３の位置座標の情報のみとし、照合時に、位置座標から読取った画像情報と、管理装置に記憶された画像情報とを照合するようにすることも可能である。また、前記媒体模様情報特定情報は、暗号化することが望ましいが、これに限定されず、位置座標の情報等について、利用者が読取可能な状態で印字することも可能である。さらに、暗号化の方法として、ＱＲコード（登録商標）を例示したが、これに限定されず、従来公知の復号化可能な任意の暗号化方法を採用可能である。
（Ｈ03）前記実施例において、印刷設定情報に応じて媒体模様情報読取領域１３等の設定を行うことが望ましいが、後処理装置がない場合には、これらに関する処理は省略可能である。
【０１０１】
（Ｈ04）前記実施例において、各機能手段は、プリンタＵの制御部Ｃで集中して処理したり、プリンタＵと端末１、４〜６の装置本体Ｈ１で分散して処理を行ったが、例示した構成に限定されず、３つ以上の装置で分散して処理することも可能である。
（Ｈ05）前記実施例において、媒体模様情報特定情報を、黄色や透明トナーを使用して印字することを例示したが、これに限定されず、任意の単色や多色で印刷することも可能である。
（Ｈ06）前記実施例において、媒体として記録紙Ｓを例示し、媒体模様情報として紙指紋を例示したが、これに限定されず、例えば、ＯＨＰのような紙以外の材料のものについて、表面の凹凸により構成された媒体の模様情報を読取るように構成することも可能である。
【０１０２】
（Ｈ07）前記実施例において、読取可能領域１２を検出する際に白画像領域、すなわち、画像濃度が０％の領域を検出したが、これに限定されず、画像濃度が非常に低く、印刷後に紙指紋の読取が可能な程度の低濃度領域を、読取可能領域１２として検出することも可能である。前記低濃度領域の濃度は任意に設定可能であり、例えば、画像濃度が１％以下の領域とすることも可能である。
（Ｈ08）前記実施例において、媒体模様情報を読取ったり、媒体模様情報特定情報１４ａを、画像領域１１ａ〜１１ｃと同じ媒体Ｓの表面に設定したが、これに限定されず、裏面側の媒体模様情報を読取ったり、媒体模様情報特定情報１４ａを書き込むことも可能である。
【０１０３】
（Ｈ09）前記実施例において、例えば、白画像領域や低濃度領域が少ない場合には、画像が印刷される画像形成領域の外側の媒体の縁領域や、画像の縁を消す処理を行った場合には画像が消された縁消し領域に媒体模様情報読取領域１３等を設定することも可能である。また、白画像領域等が少ない場合に、媒体模様情報を読取る媒体模様情報読取装置の解像度を高くすることで、媒体模様情報読取領域１３の大きさを小面積化することも可能である。さらに、媒体模様情報読取領域１３が、四角形で確保できない場合に、必要な面積が確保可能な多角形状や歪んだ形状とすることも可能である。
（Ｈ010）前記実施例において、媒体模様情報特定情報書込領域１４と媒体模様情報読取領域１３とを異なる位置に設定したが、例えば、媒体模様情報特定情報１４ａの内部に部分的な白画像領域が確保できる場合には、媒体模様情報特定情報書込領域１４の内部の白画像領域に媒体模様情報読取領域１３を設定することも可能である。
【０１０４】
（Ｈ011）前記実施例において、模様情報照合装置の一例として複写機Ｖを例示したがこれに限定されず、画像が読取り可能な読取装置、いわゆるイメージスキャナ等の任意の読取り装置を使用可能である。また、画像形成システムＳにおいて、プリンタＵの機能を複写機Ｖに内蔵させたり、プリンタＵに模様情報照合装置の機能を付加することも可能であり、画像形成装置と模様情報照合装置とを一体化することも可能である。
（Ｈ012）前記実施例において、プリンタＵや複写機Ｖの制御部に組み込まれた各プログラムや、管理装置２に組み込まれた模様情報登録プログラムＰ１や模様情報照合プログラムＰ２等は、各機器に組み込まれているが、この形態に限定されず、記憶媒体の一例としてのコンパクトディスク等に格納して提供したり、公衆情報通信回線、いわゆるインターネット回線を通じて提供することも可能である。
【０１０５】
（Ｈ013）前記実施例において、模様情報の一例としての紙指紋を媒体Ｓの特定の一箇所だけ読取るように構成したが、この構成に限定されず、複数箇所の紙指紋を読取るように構成することも可能である。この場合、複数箇所の媒体模様情報に基づいて判別することで、一箇所の場合に比べて、原本であるか否か、すなわち真贋の判定が、さらに精度良く且つ容易になる。また、複数箇所で読取ることで、仮に、原本の媒体が破れたり、汚れたりしても、一部の紙指紋が読みとれなくなっていても、それ以外の部分の模様情報読取領域で読取ることで、原本の判別が可能となる。さらに、前記白画像領域が少なく、媒体模様情報読取領域１３が十分に確保できない場合に、複数箇所を読取るように設定することも可能である。
【０１０６】
（Ｈ014）前記実施例において、媒体模様情報読取装置ＳＮ１の位置は、実施例に例示した位置に限定されず、媒体模様情報が読取られた後、媒体Ｓが転写領域Ｑ４に到達前に、画像が形成可能な任意の位置に配置することが可能である。このとき、各種処理があるため、可能な限り媒体模様情報の読取時期は早いほうが望ましいため、例えば、各給紙容器ＴＲ１〜ＴＲ３から給紙された直後の各給紙路ＳＨ１上や、給紙路ＳＨ１の合流位置等に配置することが可能である。
【図面の簡単な説明】
【０１０７】
【図１】図１は本発明の実施例１の画像形成システムの全体説明図である。
【図２】図２は本発明の実施例１の画像形成装置の全体説明図である。
【図３】図３は実施例１の画像形成システムにおける第１の画像形成装置の制御部の要部説明図である。
【図４】図４は実施例１の画像形成システムにおける画像形成装置の制御部が備えている各機能を機能ブロック図で示した図である。
【図５】図５は実施例１の印刷画像の一例の説明図であり、図５Ａは受信した印刷画像の説明図、図５Ｂは模様情報読取領域の説明図、図５Ｃは媒体模様情報特定情報が付加された印刷画像の説明図である。
【図６】図６は実施例１の印刷設定がされた印刷画像の一例の説明図であり、図６Ａは綴じ孔形成設定がされた場合の説明図、図６Ｂは中綴じ設定がされた場合の説明図、図６Ｃは角綴じ設定がされた場合の説明図、図６Ｄは端綴じ設定がされた場合の説明図である。
【図７】図７は実施例１の複写機の制御部が備えている各機能を機能ブロック図で示した図である。
【図８】図８は実施例１の管理装置の制御部が備えている各機能を機能ブロック図で示した図である。
【図９】図９は実施例１の画像形成装置での画像形成処理のフローチャートである。
【図１０】図１０は実施例１の管理装置の模様情報登録照合処理のフローチャートである。
【図１１】図１１は実施例１の複写機Ｖの模様情報読取問合せ処理のフローチャートである。
【図１２】図１２は本発明の実施例２の端末の制御部の説明図である。
【図１３】図１３は本発明の実施例２の画像形成装置の制御部の説明図であり、実施例１の図３に対応する図である。
【図１４】図１４は実施例２の端末における画像情報送信処理のフローチャートである。
【図１５】図１５は実施例２の画像形成装置での画像形成処理のフローチャートであり、実施例１の図９に対応するフローチャートである。
【図１６】図１６は本発明の実施例３の画像形成装置の制御部の説明図であり、実施例１の図３に対応する図である。
【図１７】図１７は実施例３の印刷画像の一例の説明図であり、図１７Ａは媒体模様情報読取領域の説明図、図１７Ｂは印刷画像の説明図、図１７Ｃは媒体模様情報特定情報付印刷画像の説明図である。
【図１８】図１８は実施例３の画像形成装置での画像形成処理のフローチャートであり、実施例１の図９に対応するフローチャートである。
【図１９】図１９は実施例４の印刷画像の一例の説明図であり、図１９Ａは媒体模様情報読取領域の説明図、図１９Ｂは印刷画像の説明図、図１９Ｃは媒体模様情報特定情報付印刷画像の説明図である。
【符号の説明】
【０１０８】
１、４〜６、Ｃ…コンピュータ、
１３…模様情報読取領域、
１４ａ…模様情報情報画像、
Ｓ…媒体、
Ｓ０…画像形成システム、
Ｃ５，Ｃ５′，Ｃ５″…模様情報読取領域検出手段、
Ｃ７，Ｃ７″…媒体模様情報読取手段、
Ｃ８…模様情報画像作成手段、
Ｃ９…印刷手段、
Ｃ１３ａ…模様情報画像読取手段、
Ｃ１３ｄ…照合用模様情報読取手段、
Ｃ２１…管理情報受信手段、
Ｃ２２…管理情報記憶手段、
Ｃ２４…問合せ情報受信手段、
Ｃ２５…照合手段、
ＳＨ２…搬送路、
ＳＮ１，ＳＮ１′…媒体模様情報読取装置、
ＵＹ，ＵＭ，ＵＣ，ＵＫ…可視像形成装置、
Ｕｖａ…表示部、
Ｖ…模様情報照合装置。
【図１】
0004720815.tif 000002
【図２】
0004720815.tif 000003
【図３】
0004720815.tif 000004
【図４】
0004720815.tif 000005
【図５】
0004720815.tif 000006
【図６】
0004720815.tif 000007
【図７】
0004720815.tif 000008
【図８】
0004720815.tif 000009
【図９】
0004720815.tif 000010
【図１０】
0004720815.tif 000011
【図１１】
0004720815.tif 000012
【図１２】
0004720815.tif 000013
【図１３】
0004720815.tif 000014
【図１４】
0004720815.tif 000015
【図１５】
0004720815.tif 000016
【図１６】
0004720815.tif 000017
【図１７】
0004720815.tif 000018
【図１８】
0004720815.tif 000019
【図１９】
0004720815.tif 000020